(57)【要約】【課題】  複数の原稿の両面画像を連続的に読み取って画像メモリに蓄積しているときに、画像メモリの残存容量が不足することによって発生する原稿画像の無駄な読み取り動作を低減し、原稿読取効率を向上することができる原稿読取装置を提供する。【解決手段】  複合機は、搬送経路に沿って搬送される原稿の表面画像を読み取る原稿読取機構部１３と、同じく裏面画像を読み取るイメージセンサ２９とを備える。また、読み取った原稿表面及び裏面の画像データを記憶する画像メモリを備える。さらに、原稿読み取り中の画像メモリのメモリ容量を監視する制御装置を備える。制御装置は、原稿の画像読み取り中において、画像メモリの残存容量が第１の所定値未満となったときには、画像メモリへの原稿裏面の画像データの記憶を中止し、それまでに画像メモリに記憶されている原稿裏面の画像データを消去して、原稿表面から読み取る画像データを記憶させる。【選択図】      図１
2005167727.tif 000002
【特許請求の範囲】
【請求項１】
搬送経路に沿って搬送される原稿の表面画像と裏面画像とを読み取る読取手段を備えた原稿読取装置において、
読取手段が読み取った画像データを一時記憶する画像メモリと、
画像メモリの残存容量を監視するメモリ監視手段と、
前記原稿の画像読み取り中において、前記画像メモリの残存容量が、所定値未満となったときには、画像メモリへの原稿裏面の画像データの一時記憶を中止し、最後の１頁の原稿裏面の画像データを消去して同頁の原稿表面から読み取った画像データのみを記憶する記憶制御手段と
を備えたことを特徴とする原稿読取装置。
【請求項２】
搬送経路に沿って搬送される原稿の表面画像と裏面画像とを読み取る読取手段を備えた原稿読取装置において、
読取手段が読み取った画像データを一時記憶する画像メモリと、
画像メモリの残存容量を監視するメモリ監視手段と、
前記原稿の画像読み取り中において、前記画像メモリの残存容量が、所定値未満となったときには、画像メモリへの原稿表面及び裏面の画像データの一時記憶を中止し、最後の１頁の原稿表面及び裏面の画像データを消去する記憶制御手段と
を備えたことを特徴とする原稿読取装置。
【請求項３】
前記原稿の画像読み取り中において、画像メモリの残存容量が所定値未満となったときに、この原稿の再読み取りをユーザに促す通知手段を備えたことを特徴とする請求項１または請求項２に記載の原稿読取装置。
【請求項４】
搬送経路に沿って搬送される原稿の表面画像と裏面画像とを読み取る読取手段を備えた原稿読取装置において、
読取手段が読み取った画像データを一時記憶する画像メモリと、
画像メモリの残存容量を監視するメモリ監視手段と、
前記原稿の画像読み取り中において、前記画像メモリの残存容量が、第１の所定値未満となったときには、画像メモリへの原稿裏面の画像データの一時記憶を中止し、最後の１頁の原稿裏面の画像データを消去して同頁の原稿表面から読み取った画像データのみを記憶する第１記憶制御手段と、
同じく、前記画像メモリの残存容量が、前記第１の所定値より低い残存容量の第２の所定値未満となったときには、画像メモリへの原稿表面及び裏面の画像データの一時記憶を中止し、最後の１頁の原稿表面及び裏面の画像データを消去する第２記憶制御手段と、
前記第１記憶制御手段及び第２記憶制御手段のいずれか一方を有効とし、他方を無効とするように予め選択される中止モード選択手段と
を備えたことを特徴とする原稿読取装置。
【請求項５】
前記第１記憶制御手段が有効とされているときには、前記原稿の画像読み取り中において、画像メモリの残存容量が前記第１の所定値未満となったときに、この原稿の裏面画像の再読み取りをユーザに促し、前記第２記憶制御手段が有効とされているときには、前記原稿の画像読み取り中において、画像メモリの残存容量が前記第２の所定値未満となったときに、この原稿の表面及び裏面画像の再読み取りをユーザに促す通知手段を備えていることを特徴とする請求項４に記載の原稿読取装置。
【請求項６】
前記読取手段は、原稿の表面画像と裏面画像の少なくとも一部を同時に読み取るように構成されていることを特徴とする請求項１〜請求項５のいずれか一項に記載の原稿読取装置。
【発明の詳細な説明】
【技術分野】
【０００１】
本発明は、複写機、ファクシミリ、スキャナーや、それらの複合機等に設けられる原稿読取装置に関するものである。
【背景技術】
【０００２】
従来、上記装置として、特許文献１に示されるものがある。この装置では、第１の画像読取部によって読み取られた原稿表面の画像データが第１のメモリ部に蓄積され、第２の画像読取部によって読み取られた原稿裏面の画像データが第２のメモリ部に蓄積される。第２のメモリ部に所定量以上の画像データが蓄積されると、各画像読取部による画像読み取りが制御部によって停止される。また、制御部により、第２のメモリ部から画像データが外部機器に出力される。そして、第２のメモリ部に蓄積されている画像データが所定量未満となると、制御部により画像読み取りが再開される。そして、第２のメモリ部に所定量以上の画像データが蓄積されていないときには、第１の画像読取部からの画像データが外部機器に出力され、また、第２のメモリ部に蓄積された画像データが所定量以上のときには、第２のメモリ部から画像データが外部機器に出力される。これにより、第２のメモリ部としてその蓄積容量が原稿の１頁分に満たないものを用いてもメモリオーバーが発生しないので、安価なメモリを用いて複数の原稿の画像読み取りを連続的に行うことができるとされている。
【０００３】
また、別の装置として特許文献２に示されるものがある。この装置は、順次搬送される原稿の片面のみを読み取る読取部を備えている。そして、まず、ユーザは、複数の原稿の表面画像を読取部によって読み取らせ、その画像データを画像メモリに蓄積させる。ここで、判別部によって画像メモリの残り容量が算出され、全ての原稿裏面の画像データが画像メモリに蓄積可能であるか否かが判定される。この判定結果は、表示部によってユーザに通知される。ユーザは、原稿裏面の画像データが蓄積可能であったときには、改めて全ての原稿の裏面画像を読取部に読み取らせ、その画像データを画像メモリに蓄積させる。画像メモリに蓄積された画像データは、制御部により相手ファクシミリ装置に送信される。これにより、ユーザが、原稿裏面を読み取らせているときにメモリオーバーが発生することがないので、原稿の裏面画像の読み取りをユーザが２度も行わせる手間が発生しない。
【特許文献１】特開平７−２２１９２８号公報
【特許文献２】特開平８−２２３３８４号公報
【発明の開示】
【発明が解決しようとする課題】
【０００４】
ところが、上記特許文献１に記載の装置はファクシミリであって、原稿読み取り中に、第１のメモリ部及び第２のメモリ部から外部装置に画像データが逐次出力される。
また、上記特許文献２に記載の装置もファクシミリであって、まず、複数の原稿についてその全ての表面画像を読み取った後、画像メモリの残り容量がこの全ての原稿の裏面画像を蓄積可能であるか否かが判断されるものである。
【０００５】
ところで、一般的に、ファクシミリや、コピーでのソート機能使用時には、所定数の原稿の画像が一旦全て読み取られて画像メモリに蓄積される。そして、複数の原稿の画像を連続して読み取っている途中で画像メモリにメモリオーバーが発生すると、制御部により原稿の読み取りが中止される。このとき、読み取り中の原稿については、読み取り中止時までに読まれた画像データが不完全となって使われないため、それまでの読み取り動作が無駄になる。このため、原稿読取部における原稿読取作業の効率に改善の余地があった。
【０００６】
本発明の目的は、複数の原稿の両面画像を連続的に読み取って画像メモリに蓄積しているときに、画像メモリの残存容量が不足することによって発生する原稿画像の無駄な読み取り動作を低減し、原稿読取効率を向上することができる原稿読取装置を提供することにある。
【課題を解決するための手段】
【０００７】
上記目的を達成するため、請求項１に記載の発明は、搬送経路に沿って搬送される原稿の表面画像と裏面画像とを読み取る読取手段を備えた原稿読取装置において、読取手段が読み取った画像データを一時記憶する画像メモリと、画像メモリの残存容量を監視するメモリ監視手段と、前記原稿の画像読み取り中において、前記画像メモリの残存容量が、所定値未満となったときには、画像メモリへの原稿裏面の画像データの一時記憶を中止し、最後の１頁の原稿裏面の画像データを消去して同頁の原稿表面から読み取った画像データのみを記憶する記憶制御手段とを備えたことを特徴とする。
【０００８】
請求項２に記載の発明は、搬送経路に沿って搬送される原稿の表面画像と裏面画像とを読み取る読取手段を備えた原稿読取装置において、読取手段が読み取った画像データを一時記憶する画像メモリと、画像メモリの残存容量を監視するメモリ監視手段と、前記原稿の画像読み取り中において、前記画像メモリの残存容量が、所定値未満となったときには、画像メモリへの原稿表面及び裏面の画像データの一時記憶を中止し、最後の１頁の原稿表面及び裏面の画像データを消去する記憶制御手段とを備えたことを特徴とする。
【０００９】
請求項３に記載の発明は、請求項１または請求項２に記載の発明において、前記原稿の画像読み取り中において、画像メモリの残存容量が所定値未満となったときに、この原稿の再読み取りをユーザに促す通知手段を備えたことを特徴とする。
【００１０】
請求項４に記載の発明は、搬送経路に沿って搬送される原稿の表面画像と裏面画像とを読み取る読取手段を備えた原稿読取装置において、読取手段が読み取った画像データを一時記憶する画像メモリと、画像メモリの残存容量を監視するメモリ監視手段と、前記原稿の画像読み取り中において、前記画像メモリの残存容量が、第１の所定値未満となったときには、画像メモリへの原稿裏面の画像データの一時記憶を中止し、最後の１頁の原稿裏面の画像データを消去して同頁の原稿表面から読み取った画像データのみを記憶する第１記憶制御手段と、同じく、前記画像メモリの残存容量が、前記第１の所定値より低い残存容量の第２の所定値未満となったときには、画像メモリへの原稿表面及び裏面の画像データの一時記憶を中止し、最後の１頁の原稿表面及び裏面の画像データを消去する第２記憶制御手段と、前記第１記憶制御手段及び第２記憶制御手段のいずれか一方を有効とし、他方を無効とするように予め選択される中止モード選択手段とを備えたことを特徴とする。
【００１１】
請求項５に記載の発明は、請求項４に記載の発明において、前記第１記憶制御手段が有効とされているときには、前記原稿の画像読み取り中において、画像メモリの残存容量が前記第１の所定値未満となったときに、この原稿の裏面画像の再読み取りをユーザに促し、前記第２記憶制御手段が有効とされているときには、前記原稿の画像読み取り中において、画像メモリの残存容量が前記第２の所定値未満となったときに、この原稿の表面及び裏面画像の再読み取りをユーザに促す通知手段を備えていることを特徴とする。
【００１２】
請求項６に記載の発明は、請求項１〜請求項５のいずれか一項に記載の発明において、  前記読取手段は、原稿の表面画像と裏面画像の少なくとも一部を同時に読み取るように構成されていることを特徴とする。
【発明の効果】
【００１３】
本発明によれば、複数の原稿の両面画像を連続的に読み取って画像メモリに蓄積しているときに、画像メモリの残存容量が不足して残りの原稿の画像を完全に読み取ることができない状態となったことを早期に予測して原稿画像の読み取りを中止するので、原稿画像の無駄な読み取り動作を低減し、原稿読取効率を向上することができる。
【発明を実施するための最良の形態】
【００１４】
以下、この発明に係る原稿読取装置を、コピー機能、スキャナー機能及びファクシミリ機能を備えた複合機に具体化した一実施形態を、図１〜図５に従って説明する。
図２に示すように、原稿読取装置としての複合機１０の上部には、原稿給送部１１、静止原稿載置部１２及び原稿読取機構部１３が装設されている。原稿給送部１１は、複数の原稿を連続的に搬送して、その表裏両面の画像を読み取る場合に、それらの原稿を搬送するための搬送経路を構成する。静止原稿載置部１２は、原稿上から静止画像を読み取る場合に、その原稿を載置する。また、複合機１０の下部には、図示しない周知の記録紙供給部、記録部及び記録紙排出部がそれぞれ装設されている。
【００１５】
図１及び図２に示すように、前記原稿給送部１１には、読み取り前の複数の原稿を積層状態で載置するための原稿台１４と、読み取り後の原稿を積層状態で載置するための原稿排出台１５とが装備されている。そして、この原稿台１４の原稿送込口から、原稿排出台１５の原稿排出口までの間が、前記複数の原稿を連続的に搬送するための搬送経路となっている。
【００１６】
前記原稿台１４の原稿送込口の近傍には、原稿台１４に載置された複数枚の原稿の前端と当接するように、開閉可能なシャッタ１６が配設されている。シャッタ１６の上流側には、原稿台１４上に載置された複数枚の原稿の上面に当接して、その一番上の原稿を搬送経路側に送り出すためのピックアップローラ１７が配設されている。シャッタ１６の下流側には、ピックアップローラ１７によりシャッタ１６を通過して送り出された原稿を、１枚ずつ分離して搬送経路内に送り込むための分離ローラ１８及び分離パッド１８ａが配設されている。
【００１７】
図１及び図２に示すように、前記原稿給送部１１の分離ローラ１８の下流側には、レジストローラ１９、第１搬送ローラ２０、第２搬送ローラ２１、表面読取用ローラ２２、第３搬送ローラ２３、裏面読取用ローラ２４、及び第４搬送ローラ２５が搬送経路に沿って原稿の搬送順に配設されている。これらのローラ１９〜２５のうちで、レジストローラ１９、第１搬送ローラ２０、第２搬送ローラ２１、第３搬送ローラ２３及び第４搬送ローラ２５には、アイドルローラ１９ａ，２０ａ，２１ａ，２３ａ，２５ａがそれぞれ接触配置されている。
【００１８】
前記ピックアップローラ１７から第４搬送ローラ２５までの各ローラ１７〜２５は、図３に示す１つの駆動モータとしてのステップモータ２６に作動連結されて回転駆動されるようになっている。また、これらのローラ１７〜２５のうちで、ピックアップローラ１７及び分離ローラ１８とステップモータ２６との間、並びにレジストローラ１９とステップモータ２６との間には、図３に示す電磁式のクラッチ２７，２８がそれぞれ介装され、必要に応じて各ローラ１７〜１９とステップモータ２６との作動連結が遮断されるようになっている。さらに、前記裏面読取用ローラ２４と対応する位置には密着型イメージセンサ２９が配設されている。
【００１９】
図１に示すように、前記原稿給送部１１の原稿台１４には、原稿台１４上に載置された原稿の幅に基づいて副走査方向のサイズを検知するための原稿サイズ検知センサＤＬＳが設けられている。ピックアップローラ１７とシャッタ１６との間には、シャッタ１６に当接された原稿の有無を検知する原稿有無検知センサＤＳ１が設けられている。分離ローラ１８とレジストローラ１９との間において分離ローラ１８寄りの位置には、搬送中の原稿の端部を検知する第１原稿端検知センサＤＳＳが設けられている。
【００２０】
さらに、レジストローラ１９の近傍には、レジストローラ１９に原稿の前端が当接したことを検知するためのレジストセンサＤＲＳが設けられている。第１搬送ローラ２０と第２搬送ローラ２１との間において第２搬送ローラ２１寄りの位置には、搬送中の原稿の端部を検知する第２原稿端検知センサＤＳ２が設けられている。第３搬送ローラ２３と裏面読取用ローラ２４との間には、搬送中の原稿の端部を検知する第３原稿端検知センサＤＳ３が設けられている。
【００２１】
図２に示すように、前記静止原稿載置部１２には、上面に原稿を載置するための透明な原稿載置板３０と、その原稿載置板３０上に開閉回動可能に配設された押え蓋３１とが装備されている。そして、前記原稿給送部１１の原稿台１４及び原稿排出台１５は、この静止原稿載置部１２の押え蓋３１上に配設されている。
【００２２】
図１及び図２に示すように、前記原稿読取機構部１３には、透光板３２、光源３３、第１ミラー３４、第２ミラー３５、第３ミラー３６、集光レンズ３７及び撮像素子（ＣＣＤ）３８が装備されている。透光板３２は、原稿給送部１１の表面読取用ローラ２２に対抗配置されている。光源３３は、透光板３２上を通過する原稿、または原稿載置板３０上に載置された原稿に光を照射する。第１〜第３ミラー３４〜３６は、原稿からの反射光の光路を変更する。集光レンズ３７は、第３ミラー３６からの光を撮像素子３８上に収束させる。撮像素子３８は、集光レンズ３７を通して入射した光に基づいて原稿の画像を読み取るとともに、その読み取った原稿の画像信号を出力する。
【００２３】
前記光源３３及び第１ミラー３４は、副走査方向に移動可能な第１キャリッジ３９上に支持されている。また、第２及び第３ミラー３５，３６は、同じく副走査方向に移動可能な第２キャリッジ４０上に支持されている。そして、図示しない周知の移動機構によって、第１キャリッジ３９が第２キャリッジ４０の２倍の移動速度で移動されるようになっている。
【００２４】
これにより、前記原稿給送部１１による複数の原稿の連続搬送時には、第１キャリッジ３９が、その移動範囲のほぼ中央に設定された待機位置Ｐ１から、透光板３２の真下に対向位置する読取位置Ｐ２に移動配置される。また、静止原稿載置部１２に載置された原稿上の静止画像の読み取り時には、第１キャリッジ３９が、原稿載置板３０の原稿給送部１１側における端部の真下に対向位置する位置Ｐ３と、原稿載置板３０の反対側端部の真下に対向位置する位置Ｐ４との間で移動される。
【００２５】
そして、前記のような構成の原稿給送部１１及び原稿読取機構部１３により原稿自動読取装置（ＡＤＦ）が構成され、第１及び第２キャリッジ３９，４０が読取位置Ｐ２に配置された状態で、透光板３２上を通過する原稿上の画像の読み取りを行う。また、静止原稿載置部１２及び原稿読取機構部１３によりフラットベッドスキャナ（ＦＢＳ）が構成され、両キャリッジ３９，４０が位置Ｐ３から位置Ｐ４まで移動される間で、原稿載置板３０上に載置された原稿上の画像の読み取りを行う。
【００２６】
次に、本実施形態の電気的構成について説明する。
図３に示すように、複合機１０は、制御装置４１、操作部４２、表示部４３、画像メモリ４４の他、図示しない周知のコーデック、モデム及びＮＣＵ（ネットワークコントロールユニット）等を備えている。制御装置４１はＭＰＵ４１ａ、ＲＯＭ４１ｂ、ＲＡＭ４１ｃ等から構成され、複合機１０全体の動作を制御する。
【００２７】
操作部４２は、コピーモード、スキャナーモード及びファクシミリモードのうちからいずれかを設定することができるようになっている。また、操作部４２は、原稿画像の読み取りモードとして、片面（表面）モード又は両面モードのいずれかを選択することができるようになっている。
【００２８】
画像メモリ４４は、密着型イメージセンサ２９や撮像素子３８で読み取った画像データ又は受画像データを一時的に記憶する。
さらに、操作部４２には、原稿給送部１１を使って、原稿載置部１２に載置した複数の原稿の画像読み取りを連続的に行なわせる前に、選択的に操作される第１読取中止モード選択スイッチ４２ａ及び第２読取中止モード選択スイッチ４２ｂが設けられている。各読取中止モード選択スイッチ４２ａ，４２ｂは、両面モードにおいて複数の原稿の表面及び裏面画像を連続して読み取っているときに、読み取り中の原稿についてその裏面の画像データのみを廃棄するか、または、表面及び裏面の画像データを共に廃棄するかを選択するために操作される。
【００２９】
すなわち、第１読取中止モード選択スイッチ４２ａが選択操作されているときには、読み取り中の原稿の表面及び裏面から読み取る全ての画像データを画像メモリ４４に記憶できなくなったときに、その原稿の裏面の画像データの画像メモリ４４への記憶が中止され、画像メモリ４４に記憶された最終頁の裏面画像の画像データが消去される。そして、その原稿表面の画像データのみが画像メモリ４４に記憶される。
【００３０】
第２読取中止モード選択スイッチ４２ｂが選択操作されているときには、読み取り中の原稿の表面及び裏面から読み取る全ての画像データを画像メモリ４４に記憶できなくなったときに、その原稿の表面及び裏面画像の画像データの画像メモリへの記憶が中止される。そして、画像メモリ４４に記憶された最終頁の表面及び裏面画像の画像データが共に消去される。
【００３１】
また、表示部４３では、複数の原稿を連続して読み取っているときにおいて、画像メモリ４４の残存容量が、読み取り中の原稿の表面及び裏面画像の画像データを全て記憶できなくなるまで少なくなったときに、この最終原稿を含む残りの原稿の再読み取りをユーザに促す表示を実行するようになっている。このとき、第１読取中止モード選択スイッチ４２ａが選択されているときには、表示部４３において、読み取り中の原稿の裏面画像を含めて改めて読み取るように促す表示を実行するようになっている。また、第２読取中止モード選択スイッチ４２ｂが選択されているときには、表示部４３において、画像読み取り中の原稿の表面及び裏面画像を含めて改めて読み取るように促す表示を実行するようになっている。
【００３２】
本実施形態では、原稿読取機構部１３、密着型イメージセンサ２９及び制御装置４１が読取手段を構成する。また、制御装置４１が、メモリ監視手段、記憶制御手段、第１記憶制御手段及び第２記憶制御手段である。また、制御装置４１及び各読取中止モード選択スイッチ４２ａ，４２ｂが中止モード選択手段を構成する。さらに、制御装置４１及び表示部４３が通知手段を構成する。
【００３３】
制御装置４１は、ステップモータ２６を作動させて各ローラ１７，１８，１９，２０，２１，２３，２５を駆動させ、原稿台１４上に積載されている複数の原稿を１枚ずつ搬送経路に繰り込んで搬送経路に沿って搬送する搬送制御を実行する。このとき、制御装置４１は、各原稿端検知センサＤＳＳ，ＤＳ２，ＤＳ３による原稿の前端及び後端の検知結果と、ステップモータ２６の駆動ステップ数とに基づいて搬送経路上における原稿の位置を把握する。また、制御装置４１は、原稿読取機構部１３を制御して、搬送中の原稿の表面画像を読み取るとともに、イメージセンサ２９を制御して、搬送中の原稿の裏面画像を読み取る読取制御を実行する。そして、制御装置４１は、読取制御で読み取った原稿表面及び裏面の各画像データを、画像メモリ４４に一時的に記憶する。
【００３４】
次に、前記のように構成された複合機１０の動作を説明する。
この複合機１０において、原稿台１４上に積載されている複数の原稿を、原稿給送部１１を使用して連続的に搬送する場合には、制御装置４１の制御に基づいて、図４又は図５のフローチャートに示す読取処理が実行される。この読取処理は、ソート機能を用いたコピーモード時、及び、ファクシミリモード時における複数原稿の画像読取時に実行される。
【００３５】
複数原稿の画像読み取り前に、第１読取中止モード選択スイッチ４２ａが操作されたときには、図４に示す読取処理が実行される。
搬送経路に沿って搬送されている原稿の前端が第２原稿端検知センサＤＳ２によって検知されると、この検知位置からのステップモータ２６の駆動ステップ数に基づいて原稿の前端が原稿読取機構部１３による読取位置に達したことが把握される。そして、その時点から、原稿の表面画像の読み取りが開始される（Ｓ１００）。
【００３６】
続いて、搬送中の原稿の前端が第３原稿端検知センサＤＳ３によって検知されると、この検知位置からのステップモータ２６の駆動ステップ数に基づいて原稿の前端がイメージセンサ２９による読取位置に達したことが把握される。そして、その時点から、原稿の裏面画像の読み取りが開始される（Ｓ１０１）。この場合、本実施形態の複合機１０では、汎用サイズ（例えばＡ４）の原稿表面の画像読み取り中に、原稿裏面の画像読み取りが開始される。これは、搬送経路上において、原稿読取機構部１３による原稿の読取位置と、イメージセンサ２９による原稿の読取位置との間の間隔が、汎用サイズの原稿における副走査方向の長さよりも短く設定されているためである。
【００３７】
続いて、原稿裏面の画像読み取り中に、画像メモリ４４の残存容量が第１の所定値未満であるか否かが判定される（Ｓ１０２）。そして、残存容量が第１の所定値以上であるときには、画像読み取り中の原稿表面及び裏面の各画像データを共に完全に記憶することができると判断され、原稿表面及び裏面の画像読み取りが続行される（Ｓ１０３）。
【００３８】
次に、搬送中の原稿の後端が第２原稿端検知センサＤＳ２によって検知されると、この検知位置からの駆動ステップ数に基づいて原稿の後端が原稿読取機構部１３の読取位置に達したことが把握される。そして、その時点で、原稿表面の画像読み取りが終了される（Ｓ１０４）。
【００３９】
続いて、搬送中の原稿の後端が第３原稿端検知センサＤＳ３によって検知されると、この検知位置からの駆動ステップ数に基づいて原稿の後端がイメージセンサ２９の読取位置に達したことが把握される。そして、その時点で、原稿裏面の画像読み取りが終了された後（Ｓ１０５）、本処理が終了される。
【００４０】
一方、前記Ｓ１０２で、画像メモリ４４の残存容量が第１の所定値未満と判断されたときには、その原稿の表面の画像データだけであれば完全に記憶できるが、原稿裏面の画像データについては完全に記憶することができない状態であると判断される。そして、その原稿裏面の画像読み取りが中止され、画像メモリ４４にすでに記憶されている最後の１頁の原稿裏面の画像データが消去される（Ｓ１０６）。
【００４１】
次に、搬送中の原稿の後端が第２原稿端検知センサＤＳ２によって検知されると、この検知位置からの駆動ステップ数に基づいて原稿の後端が原稿読取機構部１３の読取位置に達したことが把握される。その時点で、原稿表面の画像読み取りが終了される（Ｓ１０７）。
【００４２】
その後、この原稿の裏面画像を再度読み取るようにユーザに促すメッセージが表示部４３において通知された後（Ｓ１０８）、本処理が終了される。ユーザは、表示部４３における通知に基づき、読み取りが終了していない原稿の画像データを記憶することができるまで画像メモリ４４の残存容量が大きくなったときに、読み取られていない残りの原稿を、読み取りが中止された最後の原稿の裏面画像から改めて読み取らせる。すなわち、コピーモードであれば、いままでに画像データが画像メモリ４４に記憶された原稿の記録を終了した後に、改めて残りの原稿を読み取らせる。また、ファクシミリモードであれば、画像メモリ４４に記憶された画像データが送信された後に、改めて残りの原稿を読み取らせる。
【００４３】
また、複数原稿の画像読み取り前に、第２読取中止モード選択スイッチ４２ｂが操作されたときには、図５に示す読取処理が実行される。
搬送経路に沿って搬送されている原稿の前端が第２原稿端検知センサＤＳ２によって検知されると、この検知位置からのステップモータ２６の駆動ステップ数に基づいて原稿の前端が原稿読取機構部１３による読取位置に達したことが把握される。そして、その時点から、原稿表面の画像読み取りが開始される（Ｓ２００）。
【００４４】
続いて、搬送中の原稿の前端が第３原稿端検知センサＤＳ３によって検知されると、この検知位置からのステップモータ２６の駆動ステップ数に基づいて原稿の前端がイメージセンサ２９による読取位置に達したことが把握される。そして、その時点から、原稿裏面の画像読み取りが開始される（Ｓ２０１）。
【００４５】
続いて、原稿裏面の画像読み取り中に、画像メモリ４４の残存容量が、第１の所定値よりも低い残存容量の第２の所定値未満であるか否かが判定される（Ｓ２０２）。そして、残存容量が第２の所定値以上であるときには、読み取り中の原稿表面及び裏面の各画像データを共に完全に記憶することができると判断され、原稿表面及び裏面の画像読み取りが続行される（Ｓ２０３）。
【００４６】
次に、搬送中の原稿の後端が第２原稿端検知センサＤＳ２によって検知されたときに、この検知位置からの駆動ステップ数に基づいて原稿の後端が原稿読取機構部１３の読取位置に達したことが把握される。そして、その時点で、原稿表面の画像読み取りが終了される（Ｓ２０４）。
【００４７】
続いて、搬送中の原稿の後端が第３原稿端検知センサＤＳ３によって検知されたときに、この検知位置からの駆動ステップ数に基づいて原稿の後端がイメージセンサ２９の読取位置に達したことが把握される。そして、その時点で、原稿裏面の画像読み取りが終了された後（Ｓ２０５）、本処理が終了される。
【００４８】
一方、前記Ｓ２０２で、画像メモリ４４の残存容量が第２の所定値未満と判断されたときには、原稿表面及び裏面の各画像データを共に完全に記憶することができない状態であると判断される。そして、原稿表面及び裏面の画像読み取りが共に中止され、また、画像メモリ４４にすでに記憶されている最後の１頁の原稿表面及び裏面の各画像データが共に消去される（Ｓ２０６）。
【００４９】
次に、この原稿の表面及び裏面画像を再度読み取るようにユーザに促すメッセージが表示部４３において通知された後（Ｓ２０７）、本処理が終了される。本処理の終了時にも、前記図４の読取処理終了時と同様に、ユーザは、表示部４３における通知に基づき、読み取られていない残りの原稿を、読み取りが中止された最後の原稿から改めて読み取らせる。
【００５０】
前記のように、この実施形態の複合機１０においては、複数の原稿画像を連続して読み取っているときに、そのとき読み取り中の原稿の表面及び裏面の画像データを記憶することにより、画像メモリ４４にメモリオーバーが発生するか否かを予測する。そして、メモリオーバーが発生することが予測されるときには、その原稿裏面の画像データの記憶を中止し、画像メモリ４４にすでに記憶された最後の１頁の原稿裏面の画像データを消去して、原稿表面の画像データのみを完全に記憶する。あるいは、メモリーオーバーが発生することが予測されるときに、その原稿の表面及び裏面の画像データの記憶を共に中止し、画像メモリ４４にすでに記憶されている最後の１頁の原稿表面及び裏面の画像データを共に消去する。このため、複数の原稿画像を連続的に読み取ってその画像データを画像メモリ４４に蓄積しているときに、原稿表面及び裏面の画像データを完全に記憶することができなくなった最後の原稿に対する画像の読み取りを早期に中止し、無駄な読み取り動作時間を低減することができる。この結果、複合機１０の原稿読取効率を向上することができる。
【００５１】
また、複数の原稿の読み取り中、画像メモリ４４の残存容量が足りなくなって読み取りを中止したときに、表示部４３での表示によって原稿の再読み取りをユーザに促すことができる。このため、ユーザは、画像メモリ４４の残存容量が足りなくなったために原稿の読み取りが中止されたことを即座に理解することができ、原稿の再読み取りを速やかに行うことができる。
【図面の簡単な説明】
【００５２】
【図１】この実施形態の複合機における原稿給送部及び読取部を示す縦断面図。
【図２】複合機の上部を示す縦断面図。
【図３】電気的構成を示すブロック図。
【図４】読取処理のフローチャート。
【図５】読取処理のフローチャート。
【符号の説明】
【００５３】
１０…原稿読取装置としての複合機、１３…読取手段を構成する原稿読取機構部、２９…同じく密着型イメージセンサ、４１…読取手段、メモリ監視手段、記憶制御手段、第１記憶制御手段、第２記憶制御手段としての、中止モード選択手段及び通知手段を構成する制御装置、４２ａ…中止モード選択手段を構成する第１読取中止モード選択スイッチ、４２ｂ…同じく第２読取中止モード選択スイッチ、４３…通知手段を構成する表示部、４４…画像メモリ。
【図１】
2005167727.tif 000003
【図２】
2005167727.tif 000004
【図３】
2005167727.tif 000005
【図４】
2005167727.tif 000006
【図５】
2005167727.tif 000007